(57)【要約】【課題】  扉のラッチ出没面とストライク板との隙間すなわちラッチボルトの進退方向である前後方向の係合長さ間隔を調整する三次元的調整可能な調整ストライクを提供する。【解決手段】  ストライクボックス２内に、ラッチボルトおよび／またはデッドボルトが正面から見て前後方向に移動して係脱可能な係合部４ａを有する調整フレーム４を前後方向に移動可能に備え、この調整フレーム４をストライクボックス２正面のストライク板３正面における開口部３ａから前後方向に進退して適宜前出可能にのぞかせ、且つ、調整フレーム４にストライク板３正面側から操作可能な前後スライド調整具５を、当該前後スライド調整具５で調整フレーム４を適宜の前出程度に調整可能に連繋してある。【選択図】  図５
2006009411.tif 000002
【特許請求の範囲】
【請求項１】
ストライクボックス内に、ラッチボルトおよび／またはデッドボルトが正面から見て前後方向に移動して係脱可能な係合部を有する調整フレームを前後方向に移動可能に備え、この調整フレームをストライクボックス正面のストライク板正面における開口部から前後方向に進退して適宜前出可能にのぞかせ、且つ、調整フレームにストライク板正面側から操作可能な前後スライド調整具を、当該前後スライド調整具で調整フレームを適宜の前出程度に調整可能に連繋してあることを特徴とする調整ストライク。
【請求項２】
ラッチボルトの左右方向の移動軌道上におけるストライク板正面の板面部と調整フレームの開口縁部との間に、この板面部と開口縁部を段差なく橋渡しするガイド部を有していることを特徴とする請求項１記載の調整ストライク。
【請求項３】
ストライク板におけるラッチボルトが左右方向に横移動して衝突する被当接部に、当該衝撃を軽減する弾性部材製緩衝部を有していることを特徴とする請求項１または２記載の調整ストライク。
【請求項４】
調整フレームを、上下の前後スライド調整具で前後方向の適宜傾き角に調整可能にしてあることを特徴とする請求項１〜３のいずれか１項記載の調整ストライク。
【請求項５】
調整フレームを、ストライク板あるいはストライクボックスの左面側または右面側もしくはストライク板正面側から操作可能な左右スライド調整要素で左右方向に適宜移動調整可能に形成してあることを特徴とする請求項１〜４のいずれか１項記載の調整ストライク。
【請求項６】
調整フレームを、上下の左右スライド調整要素で左右方向の適宜傾き角に調整可能にしてあることを特徴とする請求項１〜５のいずれか１項記載の調整ストライク。
【発明の詳細な説明】
【技術分野】
【０００１】
本発明は、框すなわち扉枠に扉錠と対向して配設されて、扉錠のラッチボルトが係脱する調整ストライクに関する。
【背景技術】
【０００２】
一般にラッチが係脱するストライクは、扉側のラッチボルトを誘導する建築躯体側の扉枠内面部に添接状のストライク板と、扉枠内面部に埋設されるストライクボックスで構成されているが、近年、例えば特許文献１に記載されているように、ラッチボルトが係脱するストライクボックス内の調整フレームを正面から見て左右方向（扉の厚さ方向）に移動可能にした調整ストライクが主流となっている。この調整ストライクの特徴は、調整フレームを左右方向に移動調整可能にすることで、扉を閉めた時における扉のがたつきを防止しようとしているものである。かかる扉のがたつきは、扉枠側の戸当たり部と扉との隙間間隔およびラッチボルトと調整フレームの係合部との隙間間隔によって生じもので、この隙間間隔が大きいほどがたつきが酷くなり、適正であればがたつきがなく、しかも、係合部にラッチボルトが確実且つ円滑に係脱し得ることになる。
このように、従来の調整ストライクは、扉の閉鎖時におけるがたつきを調整することができる。
ところで、扉を吊持する蝶番の摩耗や取付けネジの緩み等によって、扉の傾きや、扉枠の歪と傾き等によって、扉におけるラッチが進退するラッチ出没面部とストライク板との隙間が広くなることがある。このような場合には、係合部に対するラッチボルトの係合長さ寸法が短くなることによる係合長さ不足になり、施錠しても外部から悪意をもって開けられてしまうトラブルが発生している。
また、従来の調整ストライクは、扉閉時における扉のがたつきを抑えるため、ラッチボルトを調整フレームの係合部に隙間なく係合するように調整する際に、ストライクボックス内の底部の調整ネジをドライバー等の工具で少しずつ係合具合を見ながら廻し操作するので、ラッチボルトが係合部から外れた状態すなわち扉が開いた状態でなければ調整操作をできない。そのため、扉を閉じてがたつきの確認をし、扉を開いて調整操作をすることになり、扉を何度も開け閉めして調整操作することになって作業が非常に面倒である。さらに、調整ネジを廻しすぎると調整フレームの移動量が多くなってラッチボルトが係合部に係合できなくなることもあり、素人では調整するのが難しく苦慮している。
さらに又、ラッチボルトとストライク板との当たり音が大きく苦情もあった。
このように、従来の調整ストライクではがたつきという左右方向の動きの二次元的調整はできても、扉のラッチ出没面とストライク板との隙間すなわちラッチボルトの進退方向である前後方向の係合長さ間隔を調整する三次元的調整はできなかった。
【特許文献１】特開２００３−８２８９０
【発明の開示】
【発明が解決しようとする課題】
【０００３】
解決しようとする課題は、第１には、扉のラッチ出没面とストライク板との隙間すなわちラッチボルトの進退方向である前後方向の係合長さ間隔を調整する三次元的調整可能な調整ストライクを、第２には、さらに、調整フレームの係合部に対するラッチボルトの係脱が円滑である調整ストライクを、第３には、さらに、ストライク板の被当接部に対するラッチボルトの衝突音が静かである調整ストライクを、第４には、さらに、扉のラッチ出没面とストライク板との間における上下の隙間間隔の狂いを修正可能である調整ストライクを、第５には、さらに、扉を閉じた状態で外部から扉のがたつきを修正可能である調整ストライクを、第６には、さらに、調整フレームの係合部に対するラッチボルトの係合角度を修正可能である調整ストライクを提供することを目的とするものである。
【課題を解決するための手段】
【０００４】
本発明は前記した課題を達成するため、以下の構成にしたことを特徴とする。
１．ストライクボックス内に、ラッチボルトおよび／またはデッドボルトが正面から見て前後方向に移動して係脱可能な係合部を有する調整フレームを前後方向に移動可能に備え、この調整フレームをストライクボックス正面のストライク板正面における開口部から前後方向に進退して適宜前出可能にのぞかせ、且つ、調整フレームにストライク板正面側から操作可能な前後スライド調整具を、当該前後スライド調整具で調整フレームを適宜の前出程度に調整可能に連繋してあることを特徴とする。
前後スライド調整具は、螺合している調整フレームをバネの弾発力に抗して前後方向に移動調整可能な前後スライド調整ネジであってもよいし、また、螺合している調整フレームを前後方向に移動調整可能な前後スライド調整ネジであってもよいし、さらに、バネで前方に付勢されている調整フレームを後方に押すことで前後方向に移動調整可能な前後スライド調整ネジであってもよく、また、これらに限定されず、調整フレームを前後方向に移動可能なものであればよい。
【０００５】
２．前記した１において、ラッチボルトの左右方向の移動軌道上におけるストライク板正面の板面部と調整フレームの開口縁部との間に、この板面部と開口縁部を段差なく橋渡しするガイド部を有していることを特徴とする。
ガイド部は、一端部をストライクボックス側あるいはストライク板側に左右方向にスライド可能に取付け、他端部を開口縁部に枢着してある態様のものであってもよいし、また、ガイド部の一端部をストライクボックス側あるいはストライク板側に枢着し、ガイド部の他端部を開口縁部に左右方向にスライド可能に取付けてある態様のものでもよい。このガイド部は、調整フレームの前後動作を妨げず、しかも、ラッチボルトをストライク板の板面部と調整フレームの開口縁部との間を直線的にスムーズに誘導し得るものであればよい。
【０００６】
３．前記した１または２において、ストライク板におけるラッチボルトが左右方向に横移動して衝突する被当接部に、当該衝撃を軽減する弾性部材製緩衝部を有していることを特徴とする。
弾性部材製緩衝部は、プラスチック等の多少の弾性を有する部材が望ましく、この緩衝部で被当接部を形成してもよいし、ガイド部の取付体を兼ねるようにしてもよい。
【０００７】
４．前記した１〜３のいずれかにおいて、調整フレームを、上下の前後スライド調整具で前後方向の適宜傾き角に調整可能にしてあることを特徴とする。
【０００８】
５．前記した１〜４のいずれかにおいて、調整フレームを、ストライク板あるいはストライクボックスの左面側または右面側もしくはストライク板正面側から操作可能な左右スライド調整要素で左右方向に適宜移動調整可能に形成してあることを特徴とする。
左右スライド調整要素は、バネで左右のいずれか一方に付勢されている調整フレームを他方へ押すことで左右方向に移動調整可能なネジタイプのものであってもよいし、調整フレームを左右方向に移動調整可能なネジタイプであってもよく、また、調整フレームを左右方向に移動調整可能なカムタイプのものであってもよい。但し、調整フレームの前後移動、前後方向の傾きを妨げるものであってはならない。
【０００９】
６．前記した１〜５のいずれかにおいて、調整フレームを、上下の左右スライド調整要素で左右方向の適宜傾き角に調整可能にしてあることを特徴とする。
【発明の効果】
【００１０】
Ａ．請求項１により、扉のラッチ出没面とストライク板との隙間すなわちラッチボルトの進退方向である前後方向の係合長さ間隔を調整すなわち三次元的調整ができるので、長年の生活使用において変化する扉と框間の隙間増減に対応して調整フレームを前後に移動調整して、ラッチの係り具合を適正な係合長さに修正できる。
Ｂ．請求項２により、さらに、ガイド部に案内されてラッチボルトが調整フレームの開口縁部とストライク板との間を移動するので、調整フレームの係合部に対するラッチボルトの係脱が円滑である。
Ｃ．請求項３により、さらに、ストライク板の被当接部に対するラッチボルトの衝突が緩衝されるので、音の発生は弱くなって静かである。
Ｄ．請求項４により、さらに、上下の前後スライド調整具で調整フレームの前後方向の傾き角度を適宜調整でき、扉のラッチ出没面とストライク板との間における上下の隙間間隔の狂いを修正することができる。
Ｅ．請求項５により、さらに、左右スライド調整要素がストライクボックスあるいはストライク板の左面側または右面側から操作可能であるものでは、外部より調整フレームを左右方向に適宜移動調整でき、扉を閉じた状態で扉のがたつきを修正することができる。そして、左右スライド調整要素がストライク板正面側から操作可能であるものでは、扉を開けて調整フレームを左右方向に適宜移動調整でき、扉を開けた状態で扉のがたつきを修正することができる。
Ｆ．請求項６により、さらに、上下の調整要素で調整フレームの左右方向の傾き角度を適宜調整でき、調整フレームの係合部に対するラッチボルトの係合角度を適正に修正することができる。
【発明を実施するための最良の形態】
【００１１】
図１〜図６には本発明の調整ストライクにおける実施の１形態を例示している。
調整ストライク１は、ストライクボックス２と、このボックス正面のストライク板３からなり、扉枠あるいは両開き扉の一方の扉に対し、共通の取付ネジで取り付けられる際に重合状態に重ね合わされて一体的に結合される。
ストライクボックス２は、正面が開口している収容部２ａ内に、調整フレーム４を前後方向および左右方向にそれぞれ移動可能に備えてある。
調整フレーム４は、正面から見てラッチボルトが前後方向に移動して係脱可能な係合部４ａを有している。そして、調整フレーム４は、前後方向に進退操作することで、ストライク板３正面における開口部３ａから前方へ適宜前出可能にしてあり、この調整フレーム４の前出程度は、ストライク板３正面側から操作可能な上下の前後スライド調整ネジ５を回し操作することで適宜調整可能にしてある。
【００１２】
かかる調整フレーム４の前後調整は、調整フレーム４における上下のネジ孔４ｂにそれぞれ螺合して且つ収容部２ａ内の背側の左右方向に沿う長孔状保持部２ｂに固定ネジ６で回転可能に保持した上下の前後スライド調整ネジ５をドライバー等で回し操作することにより可能にしてある。また調整フレーム４は、背後のバネ７で前方へ付勢することにより、調整フレーム４が適宜の前後調整位置に仮固定されるようにしてある。この前後スライド調整ネジ５の回し操作は、同ネジ５頭部と前後方向に一致するストライク板３正面の左右方向に沿う長孔３ｂを通して行なえるようにしてある。
すなわち、上下の前後スライド調整ネジ５を右回し操作することで調整フレーム４が前方へ移動して開口部３ａから前出し、同調整ネジ５を左回し操作することで調整フレーム４が後方へ移動するようにしてある。
また、上下の前後スライド調整ネジ５の回し角度を違えることにより、調整フレーム４を前後方向の適宜前後傾き角ａに調整可能にしてある。
【００１３】
そして、調整フレーム４の左右調整は、ストライクボックス２の左側面部２ｃにおけるガイド孔２ｄ内のネジ孔８に螺合して且つバネ９で左方へ付勢されている調整フレーム４の左側面部４ｃに先端１０ａが当接している左右スライド調整ネジ１０をドライバー等で回し操作することにより可能にしてある。また調整フレーム４は、バネ９で左方へ付勢することにより、調整フレーム４が適宜の左右調整位置に仮固定されるようにしてある。ネジ孔８は別部材たとえば硬質部材で形成してある。この左右スライド調整ネジ１０の回し操作は、同ネジ１０頭部と左右方向に一致するストライク板３左側面の孔３ｃを通して行なえるようにしてある。
すなわち、左右スライド調整ネジ１０を右回し操作することで調整フレーム４がバネ９を押して右方へ移動し、同調整ネジ１０を左回し操作することで調整フレーム４がバネ９に押されて左方へ移動するようにしてある。
【００１４】
さらに、ラッチボルトが左右方向に横移動して衝突するストライク板３左側面の被当接部３ｄには、当該衝撃を軽減する弾性部材製緩衝部１１を配設してあると共に、この被当接部３ｄを形成している緩衝部１１と調整フレーム４の開口縁部４ｄとの間には、被当接部３ｄと開口縁部４ｄを段差なく橋渡しするガイド部１２を架設してあり、ラッチボルトが被当接部３ｄに当接した後にガイド部１２を摺擦して開口縁部４ｄから係合部４ａまで円滑に横移動して係合し、また、係合部４ａとの係合状態から開口縁部４ｄを経てガイド部１２を摺擦して被当接部３ｄまで円滑に横移動して係脱し得るようにしてある。
【００１５】
緩衝部１１は、ストライクボックス２正面における左側面部２ｃ側の凹部２ｅに嵌合して、ストライク板３の小開口部３ｅから正面側および左側面側に飛び出して、緩衝部１１の係止凸部１１ａが凹部２ｅの被係止凹部２ｆに係止した状態にストライク板３で押し止めして一体的に固定してある。この緩衝部１１の二股状部１１ｂにおける左右方向に沿う長孔状軸受部１１ｃにはガイド部１２の左端を軸１３で枢着し、ガイド部１２が左右方向に移動および軸１３回りに揺動可能に形成してある。
ガイド部１２は右端を調整フレーム４の開口縁部４ｄに軸１４で軸止して、ストライク板３正面の割り溝３ｆから正面側に飛び出し可能にしてあり、調整フレーム４の前後調整時および左右調整時にガイド部１２が追動して調整フレーム４の前後移動および左右移動を妨げないようにしてある。
【００１６】
このように、長孔３ｂからドライバー等の工具で上下の前後スライド調整ネジ５を回し操作することにより、ストライク板３の開口部３ａにおける調整フレーム４の前後位置すなわち前出程度を調整可能である（図１（Ｂ）および図２（Ｂ）（Ｄ）参照）。この際、調整フレーム４と左右スライド調整ネジ１０は接触関係にあるが、左側面部４ｃが先端１０ａを摺擦することで、調整フレーム４の前出動作が妨げられることはない。
そして、孔３ｃからドライバー等の工具で左右スライド調整ネジ１０を回し操作することにより、ストライク板３の開口部３ａにおける調整フレーム４の左右位置を調整可能である（図２（Ａ）〜（Ｄ）および図３参照）。この際、上下の前後スライド調整ネジ５が長孔状保持部２ｂに沿い左右に移動することで、調整フレーム４の左右動作が妨げられることはない。
また、上下の前後スライド調整ネジ５の回し角度を適宜違えることにより、調整フレーム４を前後方向の適宜前後傾き角ａに調整することが可能である（図４参照）。
【００１７】
図７〜図１０には本発明の調整ストライクにおける実施の他の１形態を例示しており、構成は前記した図１の態様のものと基本的に同一であるため、共通している構成の説明は符号を準用して省略し、相違する構成について説明する。
調整フレーム４の左右調整は、ストライクボックス２の左側面部２ｃにおける上下のガイド孔２ｄ内のネジ孔８に螺合して且つ上下のバネ９で左方へ付勢されている調整フレーム４の左側面部４ｃに先端１０ａが当接している上下の左右スライド調整ネジ１０をドライバー等で回し操作することにより可能にしてある。また調整フレーム４は、上下のバネ９で左方へ付勢することにより、調整フレーム４が適宜の左右調整位置に仮固定されるようにしてある。上下のネジ孔８は別部材たとえば硬質部材で形成してある。この上下の左右スライド調整ネジ１０の回し操作は、同ネジ１０頭部と左右方向に一致するストライク板３左側面の上下の孔３ｃを通して個々に行なえるようにしてある。
すなわち、上下の左右スライド調整ネジ１０をそれぞれ右回し操作することで調整フレーム４がバネ９を押して右方へ移動し、同調整ネジ１０をそれぞれ左回し操作することで調整フレーム４がバネ９に押されて左方へ移動するようにしてある。
また、上下の左右スライド調整ネジ１０の回し角度を違えることにより、調整フレーム４を左右方向の適宜左右傾き角ｂに調整可能にしてある。
【００１８】
このように、長孔３ｂからドライバー等の工具で上下の前後スライド調整ネジ５を回し操作することにより、ストライク板３の開口部３ａにおける調整フレーム４の前後位置すなわち前出程度を調整可能である（図７（Ｂ）および図８（Ｂ）（Ｄ）参照）。この際、調整フレーム４と左右スライド調整ネジ１０は接触関係にあるが、左側面部４ｃが先端１０ａを摺擦することで、調整フレーム４の前出動作が妨げられることはない。
そして、孔３ｃからドライバー等の工具で上下の左右スライド調整ネジ１０を回し操作することにより、ストライク板３の開口部３ａにおける調整フレーム４の左右位置を調整可能である（図８（Ａ）〜（Ｄ）参照）。この際、上下の前後スライド調整ネジ５が長孔状保持部２ｂに沿い左右に移動することで、調整フレーム４の左右動作が妨げられることはない。
また、上下の前後スライド調整ネジ５の回し角度を適宜違えることにより、調整フレーム４を前後方向の適宜前後傾き角ａに調整することが可能である（図１０参照）。さらに、上下の左右スライド調整ネジ１０の回し角度を違えることにより、調整フレーム４を左右方向の適宜左右傾き角ｂに調整することが可能である。
【００１９】
図１１〜図１３には本発明の調整ストライクにおける実施の他の１形態を例示しており、構成は前記した図１の態様のものと基本的に同一であるため、共通している構成の説明は符号を準用して省略し、相違する構成について説明する。
調整フレーム４の左右調整は、調整フレーム４における係合部４ａ底の凹窪部４ｅ内の左右スライド調整ピン１８をドライバー等で回し操作することにより可能にしてある。
すなわち、左右スライド調整ピン１８は凹窪部４ｅ底の通孔４ｆを貫通して、収容部２ａ内のカム１９と一体回転状に接続している。カム１９は、収容部２ａの左右内側面に摺擦可能に接触していて、左右スライド調整ピン１８がドライバー等で回し操作されるのにともない、カム１９が収容部２ａ内側面を摺擦しつつ回転し、このカム１９における偏心位置の左右スライド調整ピン１８の左右方向の変位幅を調整フレーム４の左右調整幅とすることで、調整フレーム４の左右位置を調整可能にしてある。
【００２０】
このように、長孔３ｂからドライバー等の工具で上下の前後スライド調整ネジ５を回し操作することにより、ストライク板３の開口部３ａにおける調整フレーム４の前後位置すなわち前出程度を調整可能である。この際、カム１９が収容部２ａ内側面を摺擦しつつ調整フレーム４とともに前後に移動することで、調整フレーム４の前後動作が妨げられることはない。
そして、ドライバー等の工具で係合部４ａ奥の左右スライド調整ピン１８を回し操作することにより、ストライク板３の開口部３ａにおける調整フレーム４の左右位置を調整可能である。この際、上下の前後スライド調整ネジ５が長孔状保持部２ｂに沿い左右に移動することで、調整フレーム４の左右動作が妨げられることはない。
また、上下の前後スライド調整ネジ５の回し角度を適宜違えることにより、調整フレーム４を前後方向の適宜前後傾き角ａに調整することが可能である。
【００２１】
図１４〜図１５には本発明の調整ストライクにおける実施の他の１形態を例示しており、構成は前記した図１の態様のものと基本的に同一であるため、共通している構成の説明は符号を準用して省略し、相違する構成について説明する。
調整フレーム４の前出程度は、ストライク板３正面側から操作可能な中央の前後スライド調整ネジ５を回し操作することで適宜調整可能にしてある。
かかる調整フレーム４の前後調整は、調整フレーム４における係合部４ａ底の中央のネジ孔４ｂに螺合して且つ収容部２ａ内の背側の左右方向に沿う長孔状保持部２ｂに固定ネジ６で回転可能に保持した前後スライド調整ネジ５をドライバー等で回し操作することにより可能にしてある。また調整フレーム４は、背後のバネ７で前方へ付勢することにより、調整フレーム４が適宜の前後調整位置に仮固定されるようにしてある。
すなわち、係合部４ａ底の中央の前後スライド調整ネジ５を右回し操作することで調整フレーム４が前方へ移動して開口部３ａから前出し、同調整ネジ５を左回し操作することで調整フレーム４が後方へ移動するようにしてある。
そして、調整フレーム４の左右調整は、左右スライド調整ネジ１０を右回し操作することで調整フレーム４がバネ９を押して右方へ移動し、同調整ネジ１０を左回し操作することで調整フレーム４がバネ９に押されて左方へ移動するようにしてある。
【００２２】
このように、ドライバー等の工具で係合部４ａ底の中央の前後スライド調整ネジ５を回し操作することにより、ストライク板３の開口部３ａにおける調整フレーム４の前後位置すなわち前出程度を調整可能である。この際、調整フレーム４と左右スライド調整ネジ１０は接触関係にあるが、左側面部４ｃが先端１０ａを摺擦することで、調整フレーム４の前出動作が妨げられることはない。
そして、孔３ｃからドライバー等の工具で左右スライド調整ネジ１０を回し操作することにより、ストライク板３の開口部３ａにおける調整フレーム４の左右位置を調整可能である。この際、上下の前後スライド調整ネジ５が長孔状保持部２ｂに沿い左右に移動することで、調整フレーム４の左右動作が妨げられることはない。
【００２３】
図１６〜図１７には本発明の調整ストライクにおける実施の他の１形態を例示しており、構成は前記した図１の態様のものと基本的に同一であるため、共通している構成の説明は符号を準用して省略し、相違する構成について説明する。
調整ストライク１は、左右スライド調整ネジ１０による左右調整機能および左右傾き角調整機能を除いて構成してある。
調整フレーム４は、前後スライド調整ネジ５による前後位置調整および前後傾き角調整を可能にしてあり、長孔３ｂからドライバー等の工具で上下の前後スライド調整ネジ５を回し操作することによって、ストライク板３の開口部３ａにおける調整フレーム４の前後位置すなわち前出程度を調整可能である（図１６（Ｂ）および図１７（Ｂ）参照）。また、上下の前後スライド調整ネジ５の回し角度を適宜違えることにより、調整フレーム４を前後方向の適宜前後傾き角ａに調整することが可能である。
【００２４】
図１８〜図１９には本発明の調整ストライクにおける使用の１形態として、前記した図７の態様の調整ストライクを組み付けた使用例を示している。
調整ストライク１は、ストライクボックス２とストライク板３が重合した状態に、取付ネジ（図示せず）をストライクボックス２の通孔２ｇとストライク板３の通孔３ｇに通して扉枠１５に取付固定してあり、調整フレーム４における係合部４ａに扉１６側のラッチボルト１７が係脱可能にしてある。
これにより、係合部４ａに対するラッチボルト１７の係合深さが不足している場合、上下の前後スライド調整ネジ５を回し操作して、ストライク板３の開口部３ａにおける調整フレーム４の前後位置すなわち前出程度を調整することで、適正な係合関係に修正できる。
そして、係合部４ａに対してラッチボルト１７のがたつきがある場合、上下の左右スライド調整ネジ１０を回し操作して、ストライク板３の開口部３ａにおける調整フレーム４の左右位置を調整することで、がたつきがないように修正できる。しかも、このがたつき修正は、扉枠１５における外面１５ａから孔３ｃにドライバー等の工具を挿して左右スライド調整ネジ１０を回し操作することによって、扉を閉じた状態でがたつきを修正できる。
さらに、扉１６が図１８の如く傾いた場合、上下の前後スライド調整ネジ５を適宜回し角度に回し操作することにより、調整フレーム４を前後方向の適宜前後傾き角ａに調整することで、適正な係合関係に修正できる。
【図面の簡単な説明】
【００２５】
【図１】（Ａ）は本発明の調整ストライクにおける実施の１形態を例示している縦断側面図、（Ｂ）は調整フレームが前出した状態の縦断側面図。
【図２】（Ａ）は横断平面図、（Ｂ）は調整フレームが前出した状態の横断平面図、（Ｃ）は調整フレームが左方へ移動した状態の横断平面図、（Ｄ）は調整フレームが前出および左方へ移動した状態の横断平面図。
【図３】正面図。
【図４】左側面図。
【図５】斜視図。
【図６】分解斜視図。
【図７】（Ａ）は本発明の調整ストライクにおける実施の他の１形態を例示している縦断側面図、（Ｂ）は調整フレームが前出した状態の縦断側面図。
【図８】（Ａ）は横断平面図、（Ｂ）は調整フレームが前出した状態の横断平面図、（Ｃ）は調整フレームが左方へ移動した状態の横断平面図、（Ｄ）は調整フレームが前出および左方へ移動した状態の横断平面図。
【図９】正面図。
【図１０】左側面図。
【図１１】本発明の調整ストライクにおける実施の他の１形態を例示している縦断側面図。
【図１２】横断平面図。
【図１３】図１２の（１３）−（１３）線に沿える縦断正面図。
【図１４】本発明の調整ストライクにおける実施の他の１形態を例示している縦断側面図。
【図１５】横断平面図。
【図１６】（Ａ）は本発明の調整ストライクにおける実施の他の１形態を例示している縦断側面図、（Ｂ）は調整フレームが前出した状態の縦断側面図。
【図１７】（Ａ）は横断平面図、（Ｂ）は調整フレームが前出した状態の横断平面図。
【図１８】本発明の調整ストライクを組み付けた使用状態図。
【図１９】（Ａ）は扉を閉じる途中の横断平面図、（Ｂ）は扉を閉じてラッチボルトが調整フレームの係合部に係合した状態の横断平面図。
【符号の説明】
【００２６】
１  調整ストライク
２  ストライクボックス
２ａ  収容部
２ｂ  長孔状保持部
２ｃ  左側面部
２ｄ  ガイド孔
２ｅ  凹部
２ｆ  被係止凹部
２ｇ、３ｇ  通孔
３  ストライク板
３ａ  開口部
３ｂ  長孔
３ｃ  孔
３ｄ  被当接部
３ｅ  小開口部
３ｆ  割り溝
４  調整フレーム
４ａ  係合部
４ｂ  ネジ孔
４ｃ  左側面部
４ｄ  開口縁部
４ｅ  凹窪部
４ｆ  通孔
５  前後スライド調整ネジ（前後スライド調整具）
６  固定ネジ
７、９  バネ
８  ネジ孔
１０ａ  先端
１０  左右スライド調整ネジ（左右スライド調整要素）
１１  緩衝部
１１ａ  係止凸部
１１ｂ  二股状部
１１ｃ  長孔状軸受部
１２  ガイド部
１３、１４  軸
１５  扉枠
１５ａ  外面
１６  扉
１７  ラッチボルト
１８  左右スライド調整ピン（左右スライド調整要素）
１９  カム（左右スライド調整要素）
ａ  前後傾き角
ｂ  左右傾き角
【図１】
2006009411.tif 000003
【図２】
2006009411.tif 000004
【図３】
2006009411.tif 000005
【図４】
2006009411.tif 000006
【図５】
2006009411.tif 000007
【図６】
2006009411.tif 000008
【図７】
2006009411.tif 000009
【図８】
2006009411.tif 000010
【図９】
2006009411.tif 000011
【図１０】
2006009411.tif 000012
【図１１】
2006009411.tif 000013
【図１２】
2006009411.tif 000014
【図１３】
2006009411.tif 000015
【図１４】
2006009411.tif 000016
【図１５】
2006009411.tif 000017
【図１６】
2006009411.tif 000018
【図１７】
2006009411.tif 000019
【図１８】
2006009411.tif 000020
【図１９】
2006009411.tif 000021